(57)【要約】【課題】搬送用台車を牽引するときに簡単に取り付けて使用できる牽引装置を提供する。【解決手段】搬送用台車１の牽引方向側の端部の底部フレーム３ａの下側に取り付けられた支持部材７と、この支持部材７に対して着脱自在な牽引用具８とから成り、前記牽引用具８の一端部には左右横向きの支持軸２０が設けられ、前記支持部材７には、前記牽引用具８の支持軸２０が嵌合する上下方向の支持孔１５が設けられ、この支持孔１５の上端に、牽引方向向きに屈曲開口する支持軸出し入れ用開口１５ａが設けられた構成。【選択図】図６
2005349853.tif 000002
【特許請求の範囲】
【請求項１】
搬送用台車の牽引方向側の端部の底部フレーム下側に取り付けられた支持部材と、この支持部材に対して着脱自在な牽引用具とから成り、前記牽引用具の一端部には左右横向きの支持軸が設けられ、前記支持部材には、前記牽引用具の支持軸が嵌合する上下方向の支持孔が設けられ、この支持孔の上端に、牽引方向側に屈曲開口する支持軸出し入れ用開口が設けられている、搬送用台車の牽引装置。
【請求項２】
前記牽引用具には、前記支持軸より牽引方向とは反対方向に延出する延出部が設けられ、前記支持部材には、前記支持孔の下端で前記支持軸が支持された状態の牽引用具が、その牽引方向側の端部が下がる方向に回転するのを前記延出部との当接により阻止するストッパー部が設けられている、請求項１に記載の搬送用台車の牽引装置。
【請求項３】
前記牽引用具は、その側面視形状が下に凸の逆への字形になるように構成され、この牽引用具の中間屈曲部位置より牽引方向とは反対方向に離れた位置に前記支持軸が配置されている、請求項１または２に記載の搬送用台車の牽引装置。
【請求項４】
前記牽引用具は、前記支持軸の両端が固着されることにより互いに連結された左右２本の縦棒状材を有し、この左右両縦棒状材の前記支持軸より牽引方向とは反対方向に延出する部分が前記延出部を構成し、前記支持部材は、前記左右両縦棒状材の内側に隣接し且つ前記支持孔が形成された左右一対の側板と、この左右両側板どうしを互いに連結一体化する連結板材と、前記左右両側板の後側でこれら左右両側板より左右横方向に張り出す後側板とで構成され、この後側板の両端張出部の下辺で前記ストッパー部が構成されている、請求項２または３に記載の搬送用台車の牽引装置。
【請求項５】
搬送用台車の牽引方向とは反対側の端部の底部フレーム下側に左右水平向きの支軸の周りに揺動自在に取り付けられた連結部材を備え、この連結部材には、前記支軸の周りに後方上方に回転させることにより搬送用台車の牽引方向とは反対側の端部から後方に突出する先端部に連結孔が設けられ、牽引用具の先端には、前記連結孔と合致する被連結孔が設けられ、前記連結孔と被連結孔とにわたって挿通される連結ピンを介して搬送用台車どうしを連結できるように構成された、請求項１〜４の何れかに記載の搬送用台車の牽引装置。
【請求項６】
前記牽引用具を支持軸の周りに上方に回転させて起立姿勢にした状態で係止する係止手段が設けられている、請求項１〜５の何れかに記載の搬送用台車の牽引装置。
【発明の詳細な説明】
【技術分野】
【０００１】
本発明は、搬送用台車を牽引車両で牽引するときや、搬送用台車どうしを列車状に連結する場合に活用できる搬送用台車の牽引装置、特に不要なときに取り外すことができる牽引用具を備えた牽引装置に関するものである。
【背景技術】
【０００２】
上記のように、使用しないときに邪魔にならないように取り外すことができる牽引用具を備えた牽引装置としては、特許文献１や２に記載のものが知られている。特許文献１に記載のものは、牽引用具を上下揺動自在に軸支する軸受け部材を、搬送用台車の底部フレームの前部に突設させた支持部材に真上から着脱自在に係合させ、牽引用具を前方水平向きの使用状態に回転させたとき、当該牽引用具の基部に設けられた係止片が前記支持部材に係合して、牽引用具が支持部材に対して上方に離脱するのを阻止するように構成されたものであり、特許文献２に記載のものは、牽引用具の基部に設けられたフック部を、このフック部の開口側をスプリング力で閉じるように併設された係止片を係止解除位置に切り換えた状態で、搬送用台車の底部フレームの前部に突設させた支持部材（コ字形ブラケット）に上から嵌合させ、この後、前記係止片をスプリング力で元の位置に復帰移動させることにより、当該牽引用具を前記支持部材（コ字形ブラケット）に上下揺動自在に結合し得るように構成されたものである。
【特許文献１】特開平６−８７３０８号公報
【特許文献２】実開平４−１０４００４号公報
【発明の開示】
【発明が解決しようとする課題】
【０００３】
上記のように特許文献１や２に記載された従来の、不要時に牽引用具を搬送用台車から取り外すことができるタイプの牽引装置では、次のような問題点が考えられた。即ち、何れの牽引装置でも、搬送用台車の前部（底部フレームの牽引方向側の端部）に取り付けられる支持部材は、搬送用台車の前端から前方に突出するように設けられており、牽引用具を取り外しても、支持部材が搬送用台車の前部から突出した状態で残ることになるため、複数台の搬送用台車を互いに隣接させるように配列させるときや、平面視において入れ子状にネスティングできるタイプの搬送用台車をネスティングするとき、前記支持部材が邪魔になって、搬送用台車どうしを互いに密接させることができなくなる。また、牽引用具を取り外した状態での前記支持部材が他物との衝突などにより変形や破損する恐れが高くなる。
【０００４】
上記のような問題点を解決するためには、前記支持部材を搬送用台車の前部から前方に突出しないように、搬送用台車の底部フレームの牽引方向側の端部の下側に設けることが考えられるが、この構成を上記特許文献１や２に記載の構成に採用した場合、牽引用具の軸受け部材やフック部を底部フレームの端部の下側に設けられた支持部材に係合させるとき、牽引用具を使用時と同様のほぼ水平に倒した姿勢で底部フレームの端部の下側に差し込む必要が生じ、牽引用具を把持する作業者は、腰を屈めて搬送用台車底部下を覗き込むような不自然な姿勢をとらなければならず、作業性が著しく低下するばかりでなく、作業者にかかる身体的な負担が大きくなる。
【課題を解決するための手段】
【０００５】
本発明は上記のような従来の問題点を解消し得る搬送用台車の牽引装を提供することを目的とするものであって、その手段を後述する実施形態の参照符号を付して示すと、搬送用台車１の牽引方向側の端部の底部フレーム（前側サイドパネル３の下側フレーム３ａ）下側に取り付けられた支持部材７と、この支持部材７に対して着脱自在な牽引用具８とから成り、前記牽引用具８の一端部には左右横向きの支持軸２０が設けられ、前記支持部材７には、前記牽引用具８の支持軸２０が嵌合する上下方向の支持孔１５が設けられ、この支持孔１５の上端に、牽引方向向きに屈曲開口する支持軸出し入れ用開口１５ａが設けられた構成となっている。
【０００６】
上記構成の本発明を実施するについて、具体的には、請求項２に記載のように、前記牽引用具８には、前記支持軸２０より牽引方向とは反対方向に延出する延出部２１を設け、前記支持部材７には、前記支持孔１５の下端で前記支持軸２０が支持された状態の牽引用具８が、その牽引方向側の端部が下がる方向に回転するのを前記延出部２１との当接により阻止するストッパー部１４を設けておくことができる。
【０００７】
また、請求項３に記載のように、前記牽引用具８は、その側面視形状が下に凸の逆への字形になるように構成し、この牽引用具８の中間屈曲部位置より牽引方向とは反対方向に離れた位置に前記支持軸２０を配置することができる。
【０００８】
また、請求項２に記載の延出部２１を牽引用具８に設ける場合、請求項４に記載のように、前記牽引用具８は、前記支持軸２０の両端が固着されることにより互いに連結された左右２本の縦棒状材１６を有するものとし、この左右両縦棒状材１６の前記支持軸２０より牽引方向とは反対方向に延出する部分で前記延出部２１を構成し、前記支持部材７は、前記左右両縦棒状材１６の内側に隣接し且つ前記支持孔１５が形成された左右一対の側板１１と、この左右両側板１１どうしを互いに連結一体化する連結板材１２と、前記左右両側板１１の後側でこれら左右両側板１１より左右横方向に張り出す後側板１３とで構成し、この後側板１３の両端張出部の下辺で前記ストッパー部１４を構成することができる。
【０００９】
更に、請求項５に記載のように、搬送用台車１の牽引方向とは反対側の端部の底部フレーム（後側サイドパネル４の下側フレーム４ａ）下側には、左右水平向きの支軸２５の周りに揺動自在に取り付けられた連結部材１０を設け、この連結部材１０には、前記支軸２５の周りに後方上方に回転させることにより搬送用台車１の牽引方向とは反対側の端部から後方に突出する先端部に連結孔２６を設け、牽引用具８の先端には、前記連結孔２６と合致する被連結孔１７を設け、前記連結孔２６と被連結孔１７とにわたって挿通される連結ピン２３を介して搬送用台車１どうしを連結できるように構成することができる。
【００１０】
また、請求項６に記載のように、前記牽引用具８を支持軸２０の周りに上方に回転させて起立姿勢にした状態で係止する係止手段２７を併用することもできる。
【発明の効果】
【００１１】
上記構成の本発明に係る搬送用台車の牽引装置によれば、牽引用具を搬送用台車に取り付けるための支持部材は、搬送用台車の牽引方向側の端部の底部フレーム下側に設けられているので、牽引用具を搬送用台車の前記支持部材から取り外した状態では、搬送用台車の底部フレームの牽引方向側の端部から突出するものが存在しない。従って、複数台の搬送用台車を互いに隣接させるように配列させるときや、平面視において入れ子状にネスティングできるタイプの搬送用台車をネスティングするとき、前記支持部材が邪魔になって、搬送用台車どうしを互いに密接させることができなくなるような不都合がなくなる。
【００１２】
しかも、搬送用台車の牽引方向側の端部の底部フレーム下側に設けられている支持部材に牽引用具を取り付けるときは、牽引用具をその支持軸が下になる縦向きに把持した状態で、前記支持部材の上下方向の支持孔内に前記支持軸を落とし込むように、当該支持孔の上端の牽引方向側に屈曲開口する支持軸出し入れ用開口内に前記支持軸を嵌入すれば良いので、牽引用具を取り付ける作業者は、腰を屈めて搬送用台車底部下を覗き込むような不自然な姿勢をとる必要もない。従って、牽引用具の着脱作業を簡単容易に行え、その作業性を高めることができると共に、作業者にかかる身体的な負担も軽減できる。
【００１３】
尚、請求項２に記載の構成によれば、上記のようにして搬送用台車側の支持部材に牽引用具側の支持軸を介して取り付けた当該牽引用具を、牽引方向に向かってほぼ水平に延出する姿勢に保持できる。従って、この牽引用具の先端部を牽引車両や他の搬送用台車の後部（牽引方向とは反対側の端部）に設けられた連結部材に連結する作業を容易に行うことができる。また、使用状態の牽引用具に作用する牽引時の衝撃や振動などで当該牽引用具側の支持軸が支持部材の支持孔内を上方に移動するような状況となっても、その移動を牽引用具側の延出部と支持部材側のストッパー部との当接により阻止することができ、牽引用具の取り付け状態を確実良好に維持させることができる。
【００１４】
また、請求項３に記載の構成によれば、牽引用具の中間屈曲部位置より牽引用具先端（牽引方向側の端部）側の領域をほぼ鉛直に起立する姿勢にしたとき、支持軸の位置が前記牽引用具の先端側領域を含む鉛直面の片側へ突出させることができる。即ち、この牽引用具が備える支持軸を搬送用台車側の支持部材の支持孔の支持軸出し入れ用開口に嵌入させるとき、ほぼ鉛直姿勢の牽引用具の先端部を把持した状態で、換言すれば、牽引用具を斜めに倒した姿勢に把持しなくとも、前記支持軸を前記支持軸出し入れ用開口に容易に嵌入させることができる。従って、牽引用具の取り付け作業を一層楽な姿勢で簡単容易に行うことができる。
【００１５】
また、請求項２に記載の延出部を牽引用具に設ける場合、請求項４に記載の構成によれば、牽引用具側の左右一対の延出部と支持部材側の後側板で形成されるストッパー部との当接により、支持部材に取り付けた牽引用具を左右横方向への傾動を伴わない安定した状態でほぼ水平姿勢に保持させることができる。また、支持部材も十分な強度を有する状態に構成することができる。
【００１６】
更に、請求項５に記載の構成によれば、搬送用台車同士を牽引用具で列車状に連結する場合に搬送用台車の牽引方向とは反対側の端部に必要な連結部材も、使用しないときには搬送用台車から後方には突出しない状態となるので、先に説明したように、複数台の搬送用台車を互いに隣接させるように配列させるときや、平面視において入れ子状にネスティングできるタイプの搬送用台車をネスティングするとき、前記連結部材が邪魔になって、搬送用台車どうしを互いに密接させることができなくなるような不都合を無くすことができる。しかも、当該連結部材と後方の搬送用台車の牽引用具の先端部とを連結するときは、後方上方に回転させて搬送用台車の後端部から後方に突出する状態にした当該連結部材の連結孔と牽引用具先端の被連結孔とを連結ピンで結合することができるので、牽引用具を使用した搬送用台車どうしの連結作業が容易に行える。
【００１７】
更に、請求項６に記載の構成によれば、牽引用具を一時的に使用しない場合や、牽引用具を取り付けた搬送用台車を当該牽引用具を使用する場所まで移動させるときなどに際して、牽引用具を起立姿勢にした状態で係止することができるので、かかる状態での搬送用台車の移動を安全容易に行うことができる。
【発明を実施するための最良の形態】
【００１８】
以下に本発明の具体的実施例を添付図に基づいて説明すると、図１及び図２に示される搬送用台車１は、この実施形態において本発明の牽引装置が組み込まれる搬送用台車の一例であって、平面矩形の荷台２、この荷台２の前後両短辺に沿って配置された前側サイドパネル３と後側サイドパネル４、荷台２の両長辺の一方に沿って配置されたバックパネル５、このバックパネル５の両端下側と前後両サイドパネル３，４のバックパネル５から遠い側の端部下側とに配設された自在車輪６を備えたもので、荷台２は、バックパネル５の下辺に上下起伏自在に支承されると共に、水平に倒伏させたときに前後両サイドパネル３，４の下辺で支持されるように構成され、前側サイドパネル３は、隣接するバックパネル５の垂直側辺に垂直軸心の周りに回転自在に連結されている。
【００１９】
而して、上記の搬送用台車１は、搬送用台車として使用しないとき、荷台２をバックパネル５の内側に重ねるように起立させると共に、この起立させた荷台２をバックパネル５との間で挟むように、前側サイドパネル３をバックパネル５の内側に重ねるように折り畳むことにより、搬送用台車１の全体を平面視においてＬ字形に折り畳み、同様に折り畳んだ複数台の搬送用台車１を平面視において入れ子式に互いに嵌合させてネスティングできるものである。
【００２０】
この実施形態における本発明の牽引装置は、上記搬送用台車１の底部フレームにおける牽引方向側の端部の中央下側、換言すれば、前側サイドパネル３の下側フレーム（アングル材）３ａの中央下側に取り付けられた支持部材７と、この支持部材７に対して着脱自在な牽引用具８、及び上記搬送用台車１の底部フレームにおける牽引方向とは反対側の端部の中央下側、換言すれば、後側サイドパネル４の下側フレーム（アングル材）４ａの中央下側に取り付けられた連結部材１０から構成されている。
【００２１】
支持部材７は、図３に示すように、左右一対の側板１１と、この左右両側板１１どうしを互いに連結一体化する連結板材１２と、前記左右両側板１１の後側でこれら左右両側板１１どうしを連結一体化する後側板１３とから構成され、当該後側板１３は、左右両側板１１より左右横方向に張り出して左右一対のストッパー部１４を構成している。また、左右両側板１１には、上下方向に長く且つ上端が前方に屈曲して開口する支持軸出し入れ用開口１５ａを備えた倒立Ｌ字形の支持孔１５がそれぞれ設けられている。前記連結板材１２は、倒立Ｌ字形の支持孔１５の上下方向孔部を囲む溝形断面のものである。
【００２２】
牽引用具８は、図４に示すように、先窄まりに配置された左右２本の縦棒状材１６と、この両縦棒状材１６間の間隔が狭まる先端部間に固着架設され且つ被連結孔１７を備えた先端板材１８と、両縦棒状材１６の長さ方向中央位置より両縦棒状材１６間の間隔が広がる後端側に寄った位置で両縦棒状材１６間に固着架設された連結用棒状材１９と、この連結用棒状材１９と両縦棒状材１６の後端との間で両縦棒状材１６間に固着架設された支持軸２０とから構成されたものであって、両縦棒状材１６の支持軸２０から後方に延出する部分によって左右一対の延出部２１が構成されると共に、両縦棒状材１６が連結用棒状材１９の位置で側面視において同一側に折曲されている。また、片側の縦棒状材１６には、チエンなどの可撓性のある索状体２２を介して連結ピン２３が取り付けられている。
【００２３】
連結部材１０は、図５及び図６Ｂに示すように、後側サイドパネル４の下側フレーム（アングル材）４ａの中央下側に固着された倒立門形の軸受け板材２４に自転可能に支承された左右水平向きの支軸２５に固着されて垂下する二股状のもので、連結孔２６を備え、この連結部材１０を前記支軸２５の周りで後方上方に回転させることにより、前記連結孔２６が後側サイドパネル４の下側フレーム（アングル材）４ａから後方に突出する状態で上下方向に貫通するように構成されている。
【００２４】
上記構成の牽引用具８を使用するときは、図６Ａに仮想線で示すように、上になる先端板材１８側を把持した上下縦向きの牽引用具８を、その中間屈曲部位置（連結用棒状材１９の位置）から下の領域が支持部材７側に接近する向きに屈曲する状態で、支持軸２０の両端部を、支持部材７側の左右両支持孔１５の支持軸出し入れ用開口１５ａに嵌入させ、この支持軸２１を左右両支持孔１５の下端に導入させるべく牽引用具８を斜め下方に降下させる。このとき、牽引用具８の左右一対の延出部２１が支持部材７の左右両側板１１を外側から挟む状態となるように、左右一対の延出部２１間の間隔が決められている。
【００２５】
支持軸２０の両端部が支持部材７側の左右一対の支持孔１５の下端で支持されたならば、図６Ａに実線で示すように、当該支持軸２０を支点にして牽引用具８を手前下方に回転させ、左右一対の延出部２１を支持部材７側の左右一対のストッパー部１４（後側板１３の左右両張出部の下側辺）に当接させる。この状態で牽引用具８は、重心が支持軸２０より先端板材１８側にあるので、支持部材７から前方ほぼ水平方向に延出する姿勢で安定的に保持される。この状態での牽引用具８は、側面視形状が下に凸の逆への字形になっている。
【００２６】
上記のように牽引用具８が取り付けられた搬送用台車１は、図１Ａ及び図２にそれぞれ仮想線で示すように、同一構造の他の搬送用台車１の後端に牽引用具８を利用して連結することができる。即ち、図６Ｂに示すように、牽引用具８に連結される側の搬送用台車１の後端下側の連結部材１０を支軸２５の周りで後方上方に回転させ、その二股状の連結部材１０に前記牽引用具８の先端板材１８を差し込み、連結部材１０の連結孔２６と牽引用具８の先端板材１８側の被連結孔１７とにわたって連結ピン２３を上から挿入し、連結部材１０と牽引用具８とを連結すれば良い。
【００２７】
尚、連結ピン２３は、上端の膨出頭部と重力とによって保持されるが、必要に応じて抜け止めを設けることもできる。また、牽引用具８と連結部材１０とで互いに連結された２台の搬送用台車１間に床面側の段差などで生じる相対的な上下移動の内、連結部材１０側の搬送用台車１が牽引用具８側の搬送用台車１に対して上昇する方向の相対上下動は、牽引用具８が支持軸２０を支点に上向きに回転することと、連結部材１０が支軸２５を支点に下向きに回転することとによって吸収されるが、牽引用具８が支持軸２０を支点に下向きには回転できないので、逆向きの相対上下動は、連結部材１０とこれに差し込まれている牽引用具８の先端板材１８との間の上下方向の遊び代で吸収されるように構成しなければならない。
【００２８】
また、牽引用具８の構造は、上記実施形態に示したものに限定されない。例えば、１本の棒状材をＶ字形に曲げ加工し、その折り返し先端部の内側に横向きの棒状材などを固着架設して、連結ピン２３が挿入される被連結孔部を構成することもできるし、連結用棒状材１９は省くことも可能である。
【００２９】
更に、牽引用具８は、使用しないときには支持部材７から引き上げるようにして取り外すことができるものであるが、図６Ａに略示するように、牽引用具８を支持軸２０の周りに上方に回転させて起立させた状態で、当該牽引用具８とこれに隣接する前側サイドパネル３とを、適当な係止手段２７、例えばフック状金具などで係脱自在に係止できるように構成することができる。この場合、前記係止手段２７としてのフック状金具などは、牽引用具８の縦棒状材１６に取り付けておくのが望ましい。また、上記実施形態に示したように、牽引用具８を側面視において下に凸の逆への字形に屈曲させておくと、図示のように、牽引用具８を前側サイドパネル３に重なる部分を当該前側サイドパネル３に沿って垂直に起立させることができ、前方への張出量を最小限に抑えることができる。
【図面の簡単な説明】
【００３０】
【図１】Ａ図は牽引用具を取り付けた搬送用台車の側面図、Ｂ図は同搬送用台車の正面図である。
【図２】同搬送用台車の平面図である。
【図３】Ａ図は支持部材を示す正面図、Ｂ図は同側面図である。
【図４】Ａ図は牽引用具を示す平面図、Ｂ図は同側面図である。
【図５】Ａ図は連結部材を示す側面図、Ｂ図は同正面図である。
【図６】Ａ図は牽引用具を取り付けた状態での要部を示す縦断側面図、Ｂ図は牽引用具で搬送用台車どうしを連結した状態での要部を示す縦断側面図である。
【符号の説明】
【００３１】
１    搬送用台車
２    荷台
３    前側サイドパネル
３ａ    前側サイドパネルの下側フレーム
４    後側サイドパネル
４ａ    後側サイドパネルの下側フレーム
５    バックパネル
６    自在車輪
７    支持部材
８    牽引用具
１０    連結部材
１１    左右両側板
１２    連結板材
１３    後側板
１４    ストッパー部
１５    支持孔
１５ａ    支持軸出し入れ用開口
１６    縦棒状材
１７    被連結孔
１８    先端板材
１９    連結用棒状材
２０    支持軸
２１    延出部
２３    連結ピン
２４    軸受け板材
２５    支軸
２６    連結孔
２７    係止手段
【図１】
2005349853.tif 000003
【図２】
2005349853.tif 000004
【図３】
2005349853.tif 000005
【図４】
2005349853.tif 000006
【図５】
2005349853.tif 000007
【図６】
2005349853.tif 000008